(57)【特許請求の範囲】
【請求項１】
デジタルデータを記録可能なディスク媒体からデジタルデータの読出および書込のいずれかまたは組み合わせを行うとともに当該デジタルデータの読出／書込速度が可変であるディスク媒体制御ユニットと、
上記ディスク媒体記録用のデジタルデータと動画および音声のいずれかまたは組み合わせをリアルタイムに再生するためのデジタルデータとを相互に変換して生成可能なデジタルデータ変換手段と、
所定の接続線を介して外部機器との接続を確保してデジタルデータの入出力を行う入出力ポートと、
上記ディスク媒体制御ユニットと上記入出力ポートとの双方向通信を確保するに当たり、高速に読出／書込を行いつつ当該ディスク媒体制御ユニットと入出力ポートとの間で直接通信を行う経路と、これより低速に読出／書込を行いつつ当該ディスク媒体制御ユニットと入出力ポートとの間に上記デジタルデータ変換手段を介在させて通信を行う経路とのいずれかの経路にて通信を実行するように制御するスイッチング手段とを具備することを特徴とするディスク媒体の記録再生装置。
【請求項２】
上記請求項１に記載のディスク媒体の記録再生装置において、
上記デジタルデータ変換手段は、ディスク媒体記録用のビットシーケンスデータとデジタル映像信号およびデジタル音声信号からなるデータとを相互に変換可能であることを特徴とするディスク媒体の記録再生装置。
【請求項３】
上記請求項１または請求項２のいずれかに記載のディスク媒体の記録再生装置において、
上記スイッチング手段は、利用者が操作可能なスイッチによって上記通信の経路を制御することを特徴とするディスク媒体の記録再生装置。
【請求項４】
上記請求項１〜請求項３のいずれかに記載のディスク媒体の記録再生装置において、
上記スイッチング手段は、上記通信の経路を利用者に選択させるためのＯＳＤ表示用の信号を出力するとともに、利用者が当該ＯＳＤ表示を視認しつつ行う選択を受け付けることによって上記通信の経路を制御することを特徴とするディスク媒体の記録再生装置。
【請求項５】
上記請求項１〜請求項４のいずれかに記載のディスク媒体の記録再生装置において、
上記スイッチング手段は、上記入出力ポートを介して上記外部機器と双方向通信を行うことが可能であるとともに、当該双方向通信を介して当該外部機器から指示を受け付けることにより上記通信の経路を制御することを特徴とするディスク媒体の記録再生装置。
【請求項６】
ＤＶＤからデジタルビットストリームデータの読出および書込のいずれかまたは組み合わせを行うとともに当該デジタルビットストリームデータの読出／書込速度が可変であるＤＶＤ制御ユニットと、
上記デジタルビットストリームデータとデジタルビデオデータとを相互に変換して生成可能なデジタルデータ変換手段と、
外部のコンピュータ装置を双方向通信可能に接続する高速シリアルインタフェースと、
上記ＤＶＤ制御ユニットと上記高速シリアルインタフェースとの双方向通信を確保するに当たり、高速に読出／書込を行いつつ当該ＤＶＤ制御ユニットと高速シリアルインタフェースとの間で直接通信を行う経路と、これより低速に読出／書込を行いつつ当該ＤＶＤ制御ユニットと高速シリアルインタフェースとの間に上記デジタルデータ変換手段を介在させて通信を行う経路とのいずれかの経路にて通信を実行するように制御するスイッチとを具備することを特徴とするＤＶＤデッキ。
【発明の詳細な説明】
【０００１】
【発明の属する技術分野】
本発明は、ディスク媒体の記録再生装置およびＤＶＤデッキに関し、特に、外部機器を接続可能に構成されるディスク媒体の記録再生装置およびＤＶＤデッキに関する。
【０００２】
【従来の技術】
近年、ＤＶＤ（Ｄｉｇｉｔａｌ  Ｖｅｒｓａｔｉｌｅ  Ｄｉｓｋ）デッキにおいてＤＶＤ−ＲＡＭやＤＶＤ−ＲＷ等のように記録と再生が可能な記録再生装置が普及しつつあり、また、パーソナルコンピュータにおける処理速度の飛躍的な向上とともに、ＤＶＤ−ＲＡＭ等のデータをパーソナルコンピュータに読み込んで一般人が気軽にビデオ編集を行えるようになりつつある。
ＤＶＤデッキにおいては通常ＩＥＥＥ１３９４規格に準拠した入出力ポートを備えており、当該入出力ポートに接続したパーソナルコンピュータに対してＤＶＤに記録された映像や音声のデータをＤＶ形式にエンコードしてコンピュータに送信可能である。このため、コンピュータにおいて当該入出力ポートを介してＤＶ形式のデータを受信してハードディスクに格納することによって当該ＤＶ形式のデータを使用してビデオ編集が可能になり、また、リアルタイムに映像を視聴することが可能である。
【０００３】
一方、特開平１０−７４３８１号公報には、デジタル記録がなされているデータに基づいてパーソナルコンピュータにおいてビデオ編集を行う技術が開示されている。同技術においては、再生装置においてアナログのビデオ信号を出力するとともに、各映像の磁気テープ上の位置を示すデジタルデータを出力している。そして、パーソナルコンピュータにおいて上記アナログビデオ信号に基づく再生を眺めながら希望シーンを選択し、開始時点と終了時点とを指定すると当該開始／終了時点のタイムコードが上記デジタルデータとして取得される。また、この開始／終了時点の画像もキャプチャされる。利用者は、このようにしてキャプチャした画像によって希望シーンを把握しつつダビング指示を行うことが可能であり、再生装置は上記開始時点等のデータに基づいてダビング指示通りのテープ位置を頭出ししてダビングを実行することができる。
【０００４】
【発明が解決しようとする課題】
上述したＤＶＤデッキにおいて、ＩＥＥＥ１３９４規格に準拠した入出力ポートから出力されるＤＶ形式のデータは、上記パーソナルコンピュータにおいてデータ取得と同時に映像と音声とを再生可能な速さで出力している。従って、１０分の長さの映像および音声をＤＶＤデッキからパーソナルコンピュータに送信する場合には１０分かかってしまう。
一方、後述した再生装置においても、磁気テープにはデジタルデータが記録されているものの、パーソナルコンピュータに入力される映像信号はアナログ変換されており、希望シーンの選択時においてもダビング時においても１０分の映像を取り込むには１０分かかってしまう。
本発明は、上記課題にかんがみてなされたもので、データ転送速度を大幅に向上させ、あたかもコンピュータの外付け記憶装置として使用可能なディスク媒体の記録再生装置およびＤＶＤデッキの提供を目的とする。
【０００５】
【課題を解決するための手段】
上記目的を達成するため、請求項１にかかる発明は、デジタルデータを記録可能なディスク媒体からデジタルデータの読出および書込のいずれかまたは組み合わせを行うとともに当該デジタルデータの読出／書込速度が可変であるディスク媒体制御ユニットと、上記ディスク媒体記録用のデジタルデータと動画および音声のいずれかまたは組み合わせをリアルタイムに再生するためのデジタルデータとを相互に変換して生成可能なデジタルデータ変換手段と、所定の接続線を介して外部機器との接続を確保してデジタルデータの入出力を行う入出力ポートと、上記ディスク媒体制御ユニットと上記入出力ポートとの双方向通信を確保するに当たり、高速に読出／書込を行いつつ当該ディスク媒体制御ユニットと入出力ポートとの間で直接通信を行う経路と、これより低速に読出／書込を行いつつ当該ディスク媒体制御ユニットと入出力ポートとの間に上記デジタルデータ変換手段を介在させて通信を行う経路とのいずれかの経路にて通信を実行するように制御するスイッチング手段とを具備する構成としてある。
【０００６】
上記のように構成した請求項１にかかる発明においては、ディスク媒体制御ユニットとデジタルデータ変換手段と入出力ポートとを備えており、ディスク媒体制御ユニットではデジタルデータを記録可能なディスク媒体からデジタルデータの読出またはディスク媒体へのデジタルデータの書込を行うことができる。デジタルデータ変換手段においては上記ディスク媒体記録用のデジタルデータと動画および音声のいずれかまたは組み合わせをリアルタイムに再生するためのデジタルデータとを相互に変換して生成可能である。また、入出力ポートに対しては所定の接続線を介して外部機器との接続を確保可能であり、かかる接続状態においてデジタルデータの入出力を行うことができる。
【０００７】
本発明はさらにデジタルデータの入出力態様を制御するためにスイッチング手段を備えており、同スイッチング手段は上記ディスク媒体制御ユニットと上記入出力ポートとの双方向通信を確保するに当たり、当該ディスク媒体制御ユニットと入出力ポートとの間で直接通信を行う経路と、当該ディスク媒体制御ユニットと入出力ポートとの間に上記デジタルデータ変換手段を介在させる経路とのいずれかの経路にて通信を実行するように制御する。
【０００８】
すなわち、スイッチング手段の制御によって、データ出力時にはディスク媒体制御ユニットから出力されたままの状態のデータが上記入出力ポートから出力され、または、デジタルデータ変換手段によって変換された状態のデータが上記入出力ポートから出力される。データ入力時には入出力ポートから入力されたままの状態のデータが上記ディスク媒体制御ユニットに入力され、または、デジタルデータ変換手段によって変換された状態のデータが上記ディスク媒体制御ユニットに入力される。かかる構成により、上記入出力ポートのデータ転送速度および接続される外部機器へのデータ入出力速度が、上記ディスク媒体制御ユニットのデータ入出力速度より大きい限り、ディスク媒体制御ユニットのデータ出力速度通りに外部機器にデータを転送することができる。
【０００９】
従って、デジタルデータ変換手段によってリアルタイムに映像や音声を再生するためのデータを生成しており、当該生成データにおいてはデータの再生実時間と同一の転送時間が要する場合であっても、上記スイッチング手段の切り替え制御によって上記ディスク媒体制御ユニットからの読出データがそのまま入出力ポートから出力されると、再生実時間に何ら左右されることなく高速にデータを転送することができる。また、上記ディスク媒体制御ユニットと外部機器とは上記入出力ポートを介して直接通信を行うので、本ディスク媒体の記録再生装置はあたかも外付け記憶装置のように機能する。
【００１０】
ここで、ディスク媒体制御ユニットにて扱うディスク媒体は、デジタルデータを記録することができればよく、大容量であってリアルタイムに映像や音声を再生するためのデータを記録するという意味でＤＶＤが好適であるものの、ＣＤやＭＯ，ＭＤ等に対しても本発明を適用することができる。むろん、読出と書込ができるという意味でＤＶＤ−ＲＡＭが好適であるものの、他の規格の種類すなわちＤＶＤ−Ｒ、ＤＶＤ−ＲＷやＣＤ−Ｒ、ＣＤ−ＲＷにとらわれず本発明を適用することができる。また、ディスク媒体制御ユニットにおいてはこれらのディスク媒体からデジタルデータの読出および書込のいずれかまたは組み合わせを行うことができればよく、読出／書込の対象となるディスク媒体に対してアクセス可能な光ピックアップや磁気ヘッド、ディスク媒体を回転させるサーボ機構等を一ユニットとして構成すればよい。
【００１１】
デジタルデータ変換手段においては、上記ディスク媒体記録用のデジタルデータと動画および音声のいずれかまたは組み合わせをリアルタイムに再生するためのデジタルデータとを相互に変換することができればよい。ディスク媒体記録用のデジタルデータとしては、例えばＭＰＥＧ形式を採用可能であるし、動画および音声のいずれかまたは組み合わせをリアルタイムに再生するためのデジタルデータとしては、例えばデジタルビデオ形式を採用可能である。
【００１２】
入出力ポートにおいては、所定の接続線を介して外部機器との接続を確保してデジタルデータの入出力を行うことができればよく、種々のポートを採用可能である。本発明をＤＶＤデッキ等に適用する場合においては、入出力ポートとしてすでに汎用的に使用されているＩＥＥＥ１３９４規格準拠のポートを使用すれば好適であるものの、むろん、ＵＳＢやイーサネット等他の規格の入出力ポートを採用することもできる。
【００１３】
以上述べたように、本発明によると通常のＤＶＤデッキ等が外部機器の外付け記憶装置としても機能するようになるが、外付け記憶装置としてより便利に機能させるための構成の一例として、上記ディスク媒体制御ユニットは、デジタルデータの読出／書込速度が可変である構成としてもよい。
上記のように構成した発明においては、ディスク媒体制御ユニットにおいてデジタルデータを読み出す速度および書き込む速度が可変である。すなわち、映像や音声をリアルタイムに再生するためには、１倍速などと呼ばれるディスク回転速度にてディスク媒体制御ユニットが駆動されるが、外部機器たるコンピュータがデジタルデータを扱う速度はこれよりはるかに速くすることができ、ディスク回転速度が数十倍となっている。そこで、本発明においては、ディスク媒体制御ユニットを通常のＤＶＤデッキとしては不要であった２倍速以上の速度にて駆動可能にし、外部機器にてデータを高速に入出力可能に構成することによって、より外付け記憶装置としての利便性を向上させることができる。
【００１４】
さらに、上記デジタルデータ変換手段の構成の具体例として請求項２にかかる発明は、上記請求項１に記載のディスク媒体の記録再生装置において、上記デジタルデータ変換手段は、ディスク媒体記録用のビットシーケンスデータとデジタル映像信号およびデジタル音声信号からなるデータとを相互に変換可能である構成としてある。
上記のように構成した請求項２にかかる発明においては、ディスク媒体記録用のビットシーケンスデータとデジタル映像信号およびデジタル音声信号からなるデータとを相互に変換される。すなわち、外部機器においてはディスク媒体記録用のビットシーケンスデータとデジタル映像信号およびデジタル音声信号からなるデータとの双方を使用することができる。
【００１５】
さらに、上記スイッチング手段においては、上記二経路のいずれかにおいて通信を実行するように制御することができればよく、その構成は様々である。その好適な構成例として請求項３にかかる発明は、上記請求項１または請求項２のいずれかに記載のディスク媒体の記録再生装置において、上記スイッチング手段は、利用者が操作可能なスイッチによって上記通信の経路を制御する構成としてある。
上記のように構成した請求項３にかかる発明においては、利用者がスイッチを操作可能であり、かかるスイッチによって上記通信の経路が制御される。すなわち、スイッチにおいて上記通信の経路のいずれかの導通を確保するように配線を行うことによって通信の経路を制御する構成となっており、利用者はスイッチを切り替えることによって、本発明にかかるディスク媒体の記録再生装置を外付け記憶装置として使用するのか、従来のようにデジタルデータによる再生信号の入出力を行わせる装置として使用するのかを容易に選択することができる。
【００１６】
ここで、上記スイッチは種々の態様が採用可能である。すなわち、最も単純には通信の経路の物理的配線を切り替えるメカスイッチを採用することができるし、トランジスタのスイッチング動作を利用して電気的に配線を切り替えるようにしてもよい。かかる場合にはさらに、利用者が使用するリモコン操作によってかかる切り替え制御を実行可能に構成するとより利便性が向上する。かかるスイッチによって利用者は容易にいずれの通信の経路かを選択できるが、さらにいずれの通信の経路が選択されているかを明示するようにすると好適である。例えば、メカスイッチにおいてはスイッチの突出近辺に通信表示を文字表示することが考えられるし、トランジスタを使用する場合などにおいてはＬＥＤの表示位置、色や液晶ディスプレイ上の表示等によって通信の経路を明示的に示すことが考えられる。
【００１７】
さらに、上記二経路のいずれかにおいて通信を実行するように制御するための他の構成例として請求項４にかかる発明は、上記請求項１〜請求項３のいずれかに記載のディスク媒体の記録再生装置において、上記スイッチング手段は、上記通信の経路を利用者に選択させるためのＯＳＤ表示用の信号を出力するとともに、利用者が当該ＯＳＤ表示を視認しつつ行う選択を受け付けることによって上記通信の経路を制御する構成としてある。
【００１８】
上記のように構成した請求項４にかかる発明においては、上記通信の経路を利用者に選択させるためのＯＳＤ表示用の信号を出力するとともに、利用者が当該ＯＳＤ表示を視認しつつ行う選択を受け付ける。そして、受け付けた内容に応じて通信の経路を制御する。すなわち、利用者はＯＳＤ表示を利用して本発明にかかるディスク媒体の記録再生装置を外付け記憶装置として使用するのか、従来のようにデジタルデータによる再生信号の入出力を行わせる装置として使用するのかを選択することができる。
【００１９】
ここで、ディスク媒体の記録再生装置からＯＳＤ表示用の信号を出力するが、本発明にかかるディスク媒体の記録再生装置は本来の機能として接続されるテレビジョン装置等にアナログ映像信号等を出力して映像を表示させる等の機能を有していることが想定されるので、かかるアナログ映像信号として通信の経路を利用者に選択させるためのＯＳＤ表示用の信号を出力可能に構成すればよい。また、ＯＳＤ表示を視認しつつ行う選択はリモコンによって実行可能にすれば便利であるし、被選択通信の経路をＯＳＤ表示によって明確に示すように構成すると好適である。
【００２０】
さらに、上記二経路のいずれかにおいて通信を実行するように制御するための他の構成例として請求項５にかかる発明は、上記請求項１〜請求項４のいずれかに記載のディスク媒体の記録再生装置において、上記スイッチング手段は、上記入出力ポートを介して上記外部機器と双方向通信を行うことが可能であるとともに、当該双方向通信を介して当該外部機器から指示を受け付けることにより上記通信の経路を制御する構成としてある。
【００２１】
上記のように構成した請求項５にかかる発明においては、上記入出力ポートを介して上記外部機器と双方向通信を行うことが可能である。そして、当該双方向通信を介して当該外部機器から指示を受け付けることにより上記通信の経路を制御する。すなわち、外部機器において本発明にかかるディスク媒体の記録再生装置にアクセスし、当該外部機器から通信の経路を指示するよう構成し、ディスク媒体の記録再生装置においてもかかるアクセスに応じて通信の経路を制御する。
【００２２】
特に、外部機器が汎用的なパーソナルコンピュータ等である場合には、当該パーソナルコンピュータに当該アクセスを可能にするドライバ等を用意すればよく、利用者はパーソナルコンピュータに当該ドライバをインストールすることによって本発明にかかるディスク媒体の記録再生装置を外付け記憶装置として機能させることができる。また、より具体的には、外部機器から外付け記憶装置制御用のコマンドを出力するように構成し、上記スイッチング手段が入出力ポートを介して当該外付け記憶装置制御用のコマンドを取得するよう構成し、当該外付け記憶装置制御用のコマンドに応じてデータの入出力を実行するように構成することによって実現可能である。
【００２３】
さらに、請求項６にかかる発明は、ＤＶＤからデジタルビットストリームデータの読出および書込のいずれかまたは組み合わせを行うＤＶＤ制御ユニットと、上記デジタルビットストリームデータとデジタルビデオデータとを相互に変換して生成可能なデジタルデータ変換手段と、外部のコンピュータ装置を双方向通信可能に接続する高速シリアルインタフェースと、上記ＤＶＤ制御ユニットと上記高速シリアルインタフェースとの双方向通信を確保するに当たり、当該ＤＶＤ制御ユニットと高速シリアルインタフェースとの間で直接通信を行う経路と、当該ＤＶＤ制御ユニットと高速シリアルインタフェースとの間に上記デジタルデータ変換手段を介在させる経路とのいずれかの経路にて通信を実行するように制御するスイッチとを具備する構成としてある。
すなわち、上記具体的な構成を有するディスク媒体の記録再生装置として実現しても有効である。
【００２４】
【発明の効果】
以上説明したように本発明は、リアルタイムに再生可能なデータ出力可能であるとともに、再生実時間に左右されずに高速にデータを転送することもできる。また、上記ディスク媒体制御ユニットと外部機器とは上記入出力ポートを介して直接通信を行うので、本ディスク媒体の記録再生装置はあたかも外付け記憶装置のように機能する。
また、外付け記憶装置としての利便性をより向上させることができる。
さらに、請求項２にかかる発明によれば、外部機器においてディスク媒体記録用のビットシーケンスデータとデジタル映像信号およびデジタル音声信号からなるデータとの双方を使用することが可能になる。
さらに、請求項３にかかる発明によれば、本発明にかかるディスク媒体の記録再生装置をどのように使用するのかを容易に選択することができる。
【００２５】
さらに、請求項４にかかる発明によれば、本発明にかかるディスク媒体の記録再生装置をどのように使用するのかを容易に選択することができる。
さらに、請求項５にかかる発明によれば、ディスク媒体の記録再生装置を外付け記憶装置として機能させる際の利便性が向上する。
さらに、請求項６にかかる発明によれば、リアルタイムに再生可能なデータ出力可能であるとともに、再生実時間に左右されずに高速にデータを転送することもできる。また、上記ディスク媒体制御ユニットと外部機器とは上記入出力ポートを介して直接通信を行うので、本ＤＶＤデッキはあたかも外付け記憶装置のように機能する。
【００２６】
【発明の実施の形態】
以下、図面にもとづいて本発明の実施形態を説明する。
図１は、本発明の一実施形態にかかるＤＶＤプレイヤと同ＤＶＤプレイヤに接続される外部機器たるパーソナルコンピュータ（ＰＣ）と同ＤＶＤプレイヤに接続されるテレビジョン装置とからなるシステムを示している。
同図において、ＤＶＤプレイヤ１０はＩＥＥＥ１３９４規格に準拠した１３９４用Ｉ／Ｏを介してＤＶケーブルによってＰＣ７０と接続されており、ＲＣＡジャックを介してＲＣＡケーブルによってテレビジョン装置８０と接続されている。
【００２７】
ＰＣ７０は、汎用的なパーソナルコンピュータによって構成可能であるが、本実施形態においてはＤＶＤプレイヤ１０と上記ＤＶケーブルを介して接続されつつ双方向通信を行うためにＩＥＥＥ１３９４規格に準拠した１３９４用Ｉ／Ｏを備えている。この他には、出力装置としてのディスプレイや入力装置としてのキーボードやマウスを備えており、かかるディスプレイを視認しつつキーボード等を操作することによって種々のアプリケーションを実行可能であるし、ＯＳの制御によってハードディスクドライブにアクセスしたり上記１３９４用Ｉ／Ｏにアクセスして、データの読出／書込を行うことができる。
【００２８】
テレビジョン装置８０は、図示しないアンテナを介して放送電波を受信し、所定の信号処理を施すことによって放送されている映像および音声を出力することができる他、上記ＲＣＡジャックを介して受信したアナログの映像信号や音声信号に所定の信号処理を施すことによって、上記ＤＶＤプレイヤ１０から出力される信号に基づく映像および音声を出力することができる。また、放送電波を受信して所定の信号処理を施した後にＲＣＡジャックを介して当該信号を出力し、ＤＶＤプレイヤ１０においてＤＶＤに記録させることもできる。すなわち、ＤＶＤプレイヤ１０はＤＶＤに記録されている映像等の再生やＤＶＤに対して映像等の記録を行うことができ、通常のＤＶＤプレイヤと同様の機能を有する。
【００２９】
図２はＤＶＤプレイヤ１０の内部構成を示すブロック図である。同図において、ＤＶＤプレイヤ１０は、光記録媒体であるＤＶＤにデジタル記録された動画／音声情報や字幕，リージョンコード等の情報をデータ・ビット・ストリームとして読み出し、または、書き込むディスク媒体制御ユニット２０を備えている。すなわち、ディスク媒体制御ユニット２０は、フォーカスサーボ等に対して制御信号を送出することにより光ピックアップ２１を所定位置に駆動させるサーボ信号処理部２２と、光ピックアップ２１からの読み取り信号を増幅して所定の制御信号を生成するＲＦアンプ２４と、増幅された信号の中から記録されているデジタルデータを復元してデータ・ビット・ストリームに変換して出力する信号処理部２６とから構成されている。これらの機器はシスコン５０の制御のもとで作動し、ＤＶＤに記録されたデータ・ビット・ストリームはディスク媒体制御ユニット２０の入出力端子から出力される。
【００３０】
また、上記信号処理部２６はデータ書き込みの際にも信号処理を行うことができ、上記入出力端子からデータ・ビット・ストリームが入力されると、同信号処理部２６の処理によってサーボ信号処理部２２と光ピックアップ２１が駆動され、所定位置に対して出力を調整しつつレーザを照射してＤＶＤにデジタルデータを記録することができる。さらに、ディスク媒体制御ユニット２０のサーボ信号処理部２２においては、シスコン５０の制御によってディスク回転速度すなわち、デジタルデータの読出／書込速度を変化させることが可能であり、後述するようにデータ・ビット・ストリームを直接１３９４用Ｉ／Ｏ４２から入出力する場合には高速で読出／書込を行うようになっている。
【００３１】
上記ディスク媒体制御ユニット２０の入出力端子に対してはＤＶ信号処理部４０からの信号線が接続されており、当該信号線は分岐してスイッチ４１ａの一方の固定接点にも接続されている。また、上記ＤＶ信号処理部４０は後述するように複数種類の信号の入出力を行うことができる回路であり、ＤＶ形式のデータを入出力する信号線が上記スイッチ４１ａの他方の固定接点に接続されている。スイッチ４１ａは上記２つの固定接点からの信号のいずれかを選択する可動接点を有しており、当該可動接点は上記１３９４用Ｉ／Ｏ４２に接続されている。尚、このスイッチ４１ａは実際にはＤＶＤプレイヤ１０の筐体表面上の所定位置に突出されたスイッチ４１ｂによって構成されており、利用者のスイッチ切替によって上記可動接点による導通線が変更される。
【００３２】
ＤＶ信号処理部４０は上記ディスク媒体制御ユニット２０の入出力端子から出力されるデータ・ビット・ストリームや上記１３９４用Ｉ／Ｏ４２から出力されるＤＶ形式のデータに基づいて種々の信号処理を行い、種々のデータ態様に変換して出力を行う回路群である。これらの回路群によって行われる処理の一つとしてＭＰＥＧ復調がある。すなわち、上記ＤＶＤにはＭＰＥＧ形式にてデジタルデータが記録されており、ディスク媒体制御ユニット２０はこのＭＰＥＧデータをデータ・ビット・ストリームとして出力する。このデータ・ビット・ストリームがＤＶ信号処理部４０に入力されると、ＤＶ信号処理部４０は圧縮変換前の動画情報と音声情報とを復元してビデオ出力とオーディオ出力とを得るとともに当該復元信号をＡ／Ｄ変換回路４３に対して出力する。
【００３３】
このＡ／Ｄ変換回路４３は入力されるデジタルデータをアナログデータに変換し、所定の増幅等を行った後に上記ＲＣＡジャックに対してアナログ信号を出力する回路である。従って、上記復元されたビデオ出力とオーディオ出力とは、同Ａ／Ｄ変換回路４３によってアナログ映像信号およびアナログ音声信号に変換され、上記テレビジョン装置８０によって映像と音声とを出力可能な状態で出力される。また、上記ＤＶ信号処理部４０は上記データ・ビット・ストリームのＭＰＥＧ復調の際に得られたデータの内、リージョンコード等種々の情報をシスコン５０に出力する。シスコン５０はこれらの情報に基づいて、地域によって再生が禁じられている媒体の再生を不可能にしたり、タイトル名や配役情報等の情報を出力するための処理を行うようになっている。
【００３４】
一方、ＤＶ信号処理部４０はＭＰＥＧ形式のデータ・ビット・ストリームとＤＶ形式の信号とを相互に変換するＤＶコーデックも備えている。このＤＶコーデックは、上記ＭＰＥＧ復調された映像信号と音声信号とをデジタル信号にエンコードしてＤＶ形式のデータとして出力することが可能である。また、入力されるＤＶ形式のデータをデコードしてＭＰＥＧ形式のデータ・ビット・ストリームを出力することができる。当該ＤＶ形式の入出力は上述のようにスイッチ４１ａの他方の固定接点を介して行われる。このように、スイッチ４１ａの固定接点には上記ディスク媒体制御ユニット２０が出力したデータ・ビット・ストリームとＤＶ形式のデータとがそれぞれ入力されているので、利用者がスイッチ４１ｂを操作することによって上記１３９４用Ｉ／Ｏ４２から出力する信号態様が切り替わり、また、同１３９４用Ｉ／Ｏ４２にいずれの態様の信号を入力しても利用者がスイッチ４１ｂを操作することによってデータ・ビット・ストリームをＤＶＤにデジタル記録することができる。
【００３５】
上記データ・ビット・ストリームは、ＤＶＤに記録されたデータをそのまま読み出していると言えるので、この状態においてはＤＶＤプレイヤ１０はＰＣ８０の外付け記憶装置として機能していると言える。また、上記ＤＶ形式はむろんＰＣ８０のＨＤＤに記録することもできるが、リアルタイムに再生することもでき、ＤＶＤプレイヤ１０は従来からあるＤＶＤデッキとして機能していると言える。このように、スイッチ４１ｂはＤＶＤプレイヤ１０の機能を切り替えるものであることから、スイッチ４１ｂを操作する突出近辺には図３に示すように文字によっていずれの機能に切り替えているのかを明示するようになっている。以上説明したように、本実施形態においては、ＤＶ信号処理部４０が上記デジタルデータ変換手段を構成し、上記１３９４用Ｉ／Ｏ４２が上記入出力ポートを構成し、上記スイッチ４１ａ，ｂが上記スイッチング手段を構成する。
【００３６】
シスコン５０は、上記ＤＶ信号処理部４０から入力される信号に基づく処理や本ＤＶＤプレイヤ１０全体の動作制御および上記１３９４用Ｉ／Ｏ４２を介して入力されるコマンドに対応した処理等を行うようになっている。すなわち、シスコン５０の内部には、演算処理の主体となるＣＰＵとともに、所定の制御プログラムが記録されたＲＯＭや、ワークエリアなどとして利用されるＲＡＭが備えられているとともに、外部機器を制御するための制御回路が備えられている。このシスコン５０による制御のもとで上述したようにディスク媒体制御ユニット２０やＤＶ信号処理部４０が所定の処理を行って、ＤＶＤの記録データに基づくアナログ信号の出力やデジタル信号の出力を行う。また、１３９４用Ｉ／Ｏ４２を介してデジタルデータの入出力等を指示した外付け記憶装置制御用のコマンド等を受け取ると、ディスク媒体制御ユニット２０を制御してサーボ信号処理部２２によってディスクを高速回転させつつデジタルデータの入出力とを実行する。
【００３７】
さらに、シスコン５０には受光回路５２および操作パネル５４が接続されており、これらの受光回路５２および操作パネル５４から入力される所定の制御信号に基づいて、ＤＶＤの再生／停止や所望トラックへのアクセス，言語の選択，カメラアングルの変更等を行うように上記ディスク媒体制御ユニット２０やＤＶ信号処理部４０を制御する。利用者はリモコン６０および上記操作パネル５４を操作して、上記再生／停止等の所望処理の実行指示を行うことが可能になっている。
【００３８】
本実施形態においては、ディスク媒体の記録再生装置の一形態としてＤＶＤプレイヤ１０を示しているが、むろん、他の記録媒体に記録された動画／音声情報を再生するプレイヤに本発明にかかるディスク媒体の記録再生装置を適用する構成を採用してもかまわないし、今後開発されるいかなる記録媒体の再生装置に対して本発明を適用することもできる。
また、上記ＰＣ７０には所定のドライバをインストールしてあり、当該ドライバの制御によって本発明にかかるＤＶＤプレイヤ１０を外付け記憶装置として認識することができる。このドライバは、上記ＰＣ７０の１３９４用Ｉ／Ｏを介して外付け記憶装置制御用のコマンドを出力可能であり、同コマンドに続いてデータ・ビット・ストリームを入出力する。すなわち、ＤＶＤプレイヤ１０内のＤＶＤにはＰＣ７０から出力されるデータが記録可能であり、ＤＶＤに記録されたデータはＰＣ７０にて読出可能であり、ＤＶＤプレイヤ１０が外付け記憶装置として機能する。
【００３９】
上記構成において、利用者は図１に示すようにＤＶＤプレイヤ１０とＰＣ７０とを接続した状態でＤＶＤプレイヤ１０をＤＶＤデッキおよび外付け記憶装置のいずれとして使用するのかを選択する。ＤＶＤプレイヤ１０を外付け記憶装置として使用する場合には、利用者はスイッチ４１ｂを操作して図３のようにスイッチ４１ｂの突出を「外付け記憶装置」側に移動させる。また、ＰＣ７０においては予め上述のドライバをインストールしておく。
【００４０】
この状態でＰＣ７０に接続された上記マウス等を操作してＤＶＤプレイヤ１０からの読出を実行すると、上記外付け記憶装置制御用のコマンドが１３９４用Ｉ／Ｏを介してＤＶＤプレイヤ１０に転送される。このコマンドはＤＶＤプレイヤ１０の１３９４用Ｉ／Ｏ４２を介してシスコン５０に取得され、同コマンドが読出指示であることが認識される。このときシスコン５０は、上記ディスク媒体制御ユニット２０のサーボ信号処理部２２を制御してＤＶＤを高速回転させるとともに、上記入出力端子から要求されたデータのデータ・ビット・ストリームを出力させる。
【００４１】
当該入出力端子は上述の図３に示すスイッチ４１ｂの状態において１３９４用Ｉ／Ｏ４２に直接入力されるように導通が確保されているので、当該データ・ビット・ストリームはＩＥＥＥ１３９４規格に準拠したプロトコルで転送されつつも、データ・ビット・ストリームとしてＰＣ７０に転送される。ＰＣ７０においては上記ドライバの処理によって当該データ・ビット・ストリームを受け取り、同データをＨＤＤに格納するなどして使用される。ＰＣ７０からデータの書込を行うときも同様であり、上記外付け記憶装置制御用のコマンドがシスコン５０によって解釈されるとともにディスク媒体制御ユニット２０が駆動され、上記１３９４用Ｉ／Ｏ４２を介して入力されるデータがＤＶＤに記録される。
【００４２】
一方、ＤＶＤプレイヤ１０をＤＶＤデッキとして使用する場合には、利用者はスイッチ４１ｂを操作してその突出を「ＤＶＤデッキ」側に移動させる。このとき、ＰＣ７０においては上記１３９４用Ｉ／Ｏを介して入力されるＤＶ形式のデータをリアルタイムに再生するアプリケーションを実行しつつ待機する。そして、上記リモコン６０を操作してＤＶＤ再生を実行すると、シスコン５０が上記ディスク媒体制御ユニット２０を制御して通常の速度でデータ・ビット・ストリームが出力される。
【００４３】
このとき、当該データ・ビット・ストリームはＤＶ信号処理部４０に入力されるとともに、ＤＶ形式に変換されて出力される。この出力はスイッチ４１ａに入力されるが、上記スイッチ４１ａは当該入力端子と導通が確保されているので上記変換されたＤＶ形式のデータが上記１３９４用Ｉ／Ｏ４２に入力される。すると、当該ＤＶ形式のデータがＩＥＥＥ１３９４規格に準拠したプロトコルで転送されつつも、ＤＶ形式としてＰＣ７０に転送される。ＰＣ７０においては上記ドライバの処理によってＤＶ形式のデータを受け取り、上記アプリケーションは受け取ったＤＶ形式のデータに基づいて再生を行う。
【００４４】
このように、本実施形態においては利用者がスイッチ４１ｂを切り替えるのみでＤＶＤプレイヤ１０の機能を切り替えることができるが、かかる切り替え制御を行う手法としては必ずしも上述のようなメカスイッチ４１ｂに限られることはない。図４は、本発明の第二の実施形態にかかるＤＶＤプレイヤ１０の内部構成を示すブロック図である。同図においては、利用者がスイッチ操作を行う手法が異なっており、ＤＶＤプレイヤ１０の機能の切替はリモコン上で行うようになっている。この第二の実施形態においては、上記第一の実施形態と比較してスイッチの形態が異なっており、他の部分の構成は第一の実施形態と同様である。
【００４５】
すなわち、スイッチ４１０ａはシスコン５０の所定の出力ポートのレベルによってスイッチングされるスイッチングトランジスタである。また、利用者はリモコン６０上に設けられた操作ボタンを操作するようになっており、通常のＤＶＤプレイヤ１０の操作ボタンの他、ＤＶＤデッキと外付け記憶装置とを切り替える操作ボタン４１０ｂが備えられている。かかる操作ボタン４１０ｂの操作内容は、リモコン６０が出力する赤外線リモコン信号に所定のコード信号として重畳されて出力されるようになっており、同赤外線リモコン信号はＤＶＤプレイヤ１０の受光回路５２にて受信される。このとき、受光回路５２は上記コード信号を復調し、シスコン５０は当該復調された信号を受信するとともに利用者がデッキボタンあるいは外付けボタンを操作したことを把握する。
【００４６】
そして、シスコン５０が当該ボタン操作に応じてスイッチ４１０ａを切り替えることによって、上記ディスク媒体制御ユニット２０が出力するデータ・ビット・ストリームを上記１３９４用Ｉ／Ｏ４２から直接出力するか、ＤＶ信号処理部４０にて変換されたＤＶ形式のデータを出力するかを制御する。従って、利用者はＰＣ７０を操作してＤＶＤプレイヤ１０を使用するに当たり、リモコン６０の操作ボタン４１０ｂを操作することによってＤＶＤプレイヤ１０をデッキとして使用するか、外付け記憶装置として使用するかを選択できる。
【００４７】
さらに、ＤＶＤプレイヤ１０の機能を切り替えるための構成として、上記スイッチ４１ｂ，４１０ｂのように利用者が直接操作するスイッチを設けないような構成にすることもできる。すなわち、ＤＶＤプレイヤ１０が外付け記憶装置として使用される場合には、アクセスする際にシスコン５０が上述のような外付け記憶装置制御用コマンドを受け取った上で処理を行うので、かかるコマンドの受信を持ってスイッチを切り替えるようにすることができる。
【００４８】
図５は、かかる第三の実施形態におけるシスコン５０の制御フローの一部を示している。この第三の実施形態は上記第二の実施形態と同様のハードウェア構成にて実現可能であり、上記スイッチ４１０ａのようにシスコン５０の制御によってスイッチ切り替えを実行可能になっているとともに、通常の状態ではＤＶＤプレイヤ１０がＤＶＤデッキとして機能するようにＤＶ信号処理部４０と１３９４用Ｉ／Ｏ４２との導通を確保している。かかる構成において、シスコン５０は図５のステップＳ１００にて上記１３９４用Ｉ／Ｏ４２を介してデータを取得したか否かを判別しており、ステップＳ１１０にて当該取得データが上記外付け記憶装置制御用コマンドであるか否かを判別している。
【００４９】
このステップＳ１００にてデータを取得したと判別され、ステップＳ１１０にて取得したデータが外付け記憶装置制御用コマンドであると判別されたときには、シスコン５０は上記ディスク媒体制御ユニット２０と１３９４用Ｉ／Ｏ４２とが直接接続されるように上記スイッチ４１０ａを切り替える。そして、ステップＳ１３０以降において上述の第一の実施形態の動作で説明したのと同様に、取得したコマンドに応じた処理を実行する。従って、かかる構成においては、利用者がスイッチ等によってＤＶＤプレイヤ１０の機能を予め切り替えておかなくても、ＰＣ７０がＤＶＤプレイヤ１０を外付け記憶装置として使用しようとしたときには自動的にＤＶＤプレイヤ１０が外付け記憶装置として機能する。
【００５０】
さらに、図６は本発明の第四の実施形態にかかるＤＶＤプレイヤ１０の内部構成を示すブロック図である。本実施形態においては、利用者は上記テレビジョン装置８０におけるＯＳＤ表示を視認しつつＤＶＤプレイヤ１０をどのように機能させるかを選択する。すなわち、ＤＶＤプレイヤ１０は通常多機能であって、ＯＳＤ表示によってメニューを提示し、種々の機能や設定を行わせることが多いので、かかるＯＳＤ表示のメニューの一選択項目としてＤＶＤプレイヤ１０をどのように機能させるかを選択可能になっている。
【００５１】
同図において、ＤＶＤプレイヤ１０はＯＳＤ信号処理部４４を備えており、同ＯＳＤ信号処理部４４は上記シスコン５０とＲＣＡジャック４５に接続されている。同ＯＳＤ信号処理部４４はシスコン５０がＯＳＤ表示用に生成する信号を入力され、同期信号等を重畳するなどしてＯＳＤ表示用のアナログ映像信号を出力する回路である。また、リモコン６０にはメニューボタン４１１ｂが備えられており、当該メニューボタン４１１ｂの押し込み操作によってシスコン５０がＯＳＤ表示信号を出力するようになっている。
【００５２】
このとき、リモコン６０においてはさらに図示しない操作ボタンの押し込み操作によってメニュー上の選択項目についての選択を行うことが可能であり、シスコン５０においては、当該操作ボタンに応じて選択を促すためのＯＳＤ表示を行うためのＯＳＤ信号を適宜出力する。図７は、当該ＯＳＤ表示の一例を示している。利用者が上記リモコン６０のメニューボタン４１１ｂを押し込み操作すると、シスコン５０がメニュー表示用の信号を出力し、当該信号が上記ＯＳＤ信号処理部４４に入力されＯＳＤ表示用のアナログ信号が上記テレビジョン装置８０に入力される。
【００５３】
この結果、テレビジョン装置８０においては図７のように選択可能なメニューが表示される。この選択可能なメニューの一つとして、「入出力切替」項目も表示されており、利用者が当該「入出力切替」項目を選択すると図７の下に示すように画面が切り替わり、当該画面によって利用者はＤＶＤプレイヤ１０をＤＶＤデッキとして使用するか、外付け記憶装置として使用するかを選択することができる。利用者がいずれかを選択すると、シスコン５０が当該選択内容に応じて上記スイッチ４１１ａを適宜切り替えて、上記ディスク媒体制御ユニット２０と１３９４用Ｉ／Ｏ４２とが直接接続されるようにするか、ＤＶ信号処理部４４を介して接続されるようにするかを制御する。
【００５４】
このように、本発明においては、ディスク媒体制御ユニットと入出力ポートとの双方向通信を確保するに当たり、当該ディスク媒体制御ユニットと入出力ポートとの間で直接通信を行う経路と、当該ディスク媒体制御ユニットと入出力ポートとの間に上記デジタルデータ変換手段を介在させる経路とのいずれかの経路にて通信を実行するようにスイッチング制御する。従って、データ転送速度を大幅に向上させ、あたかもコンピュータの外付け記憶装置として使用可能なディスク媒体の記録再生装置およびＤＶＤデッキを提供することができる。
【図面の簡単な説明】
【図１】本発明の一実施形態にかかるＤＶＤプレイヤを使用したシステム構成図である。
【図２】ＤＶＤプレイヤの内部構成を示すブロック図である。
【図３】スイッチの拡大図である。
【図４】第二の実施形態にかかるＤＶＤプレイヤの内部構成を示すブロック図である。
【図５】第三の実施形態におけるシスコンのフローチャートである。
【図６】第四の実施形態にかかるＤＶＤプレイヤの内部構成を示すブロック図である。
【図７】ＯＳＤ表示の一例を示す図である。
【符号の説明】
１０…ＤＶＤプレイヤ
２０…ディスク媒体制御ユニット
２１…光ピックアップ
２２…サーボ信号処理部
２４…ＲＦアンプ
２６…信号処理部
４０…ＤＶ信号処理部
４１ａ，ｂ…スイッチ
４２…１３９４用Ｉ／Ｏ
４３…Ａ／Ｄ変換回路
４４…ＯＳＤ信号処理部
４５…ＲＣＡジャック
５０…シスコン
５２…受光回路
５４…操作パネル
６０…リモコン
７０…ＰＣ
８０…テレビジョン装置
【図１】
0003541884.tif 000002
【図２】
0003541884.tif 000003
【図３】
0003541884.tif 000004
【図４】
0003541884.tif 000005
【図５】
0003541884.tif 000006
【図６】
0003541884.tif 000007
【図７】
0003541884.tif 000008